(57)【特許請求の範囲】
【請求項１】
燃料ガスが貯蔵されたライター本体と、
該ライター本体の燃料ガスをバルブ機構を介してノズルに供給する燃料供給手段と、
該ノズルに係合するノズル係合部を有し押圧部の押し下げにより燃料ガスを噴出させる揺動自在な作動レバーと、
両側に横車が固着されたヤスリ車に下方から発火石が圧接されて前記ノズルから噴出する燃料ガスに点火する点火手段とを備え、
前記ライター本体の上部にキャップが取り付けられるガスライターにおいて、
前記横車はヤスリ車と共にその断面楕円形の回転軸が前記ライター本体の支柱に設けた略上下方向に延びかつ下部に斜面が形成された軸受孔に支持されて、回転自在にかつ前記発火石を押し込む方向に移動可能に保持されると共に、
前記横車の外周に設けられた係止突起が前記キャップの係止部に係止して前記ヤスリ車の回転を不能として点火ロックを行う一方、
前記横車を前記発火石を押し込む方向に操作することで前記キャップとの係止を解放してヤスリ車のロック解除を行い、
前記横車は、点火時回転により上方に移動するように設けられていることを特徴とするガスライター。
【請求項２】
前記横車の外周には、ほぼ等間隔な複数位置に前記係止突起が設けられ、該係止突起の点火時回転方向に対する少なくとも前方に凹凸形状の指掛け操作部が設けられ、その他の部分は平滑部に形成されていることを特徴とする請求項１に記載のガスライター。
【請求項３】
前記支柱の軸受孔には、前記横車の回転軸の押し込み移動に抵抗を与える凸部が設けられていることを特徴とする請求項１又は２に記載のガスライター。
【請求項４】
燃料ガスが貯蔵されたライター本体と、
該ライター本体の燃料ガスをバルブ機構を介してノズルに供給する燃料供給手段と、
該ノズルに係合するノズル係合部を有し押圧部の押し下げにより燃料ガスを噴出させる揺動自在な作動レバーと、
両側に横車が固着されたヤスリ車に下方から発火石が圧接されて前記ノズルから噴出する燃料ガスに点火する点火手段とを備え、
前記ライター本体の上部にキャップが取り付けられるガスライターにおいて、
前記横車はヤスリ車と共にその回転軸が回転自在にかつ前記発火石を押し込む方向に移動可能に支柱に支持され、
前記横車の外周には、ほぼ等間隔な複数位置に前記係止突起が設けられ、該係止突起の点火時回転方向に対する少なくとも前方に凹凸形状の指掛け操作部が設けられ、その他の部分は平滑部に形成されると共に、
前記係止突起が前記キャップの係止部に係止して前記ヤスリ車の回転を不能として点火ロックを行う一方、
前記横車を前記発火石を押し込む方向に操作することで前記キャップとの係止を解放してヤスリ車のロック解除を行うことを特徴とするガスライター。
【請求項５】
前記係止突起が２つ形成されていることを特徴とする請求項１から４のいずれかに記載のガスライター。
【請求項６】
所定位置にある前記指掛け操作部に指を掛けて着火操作を開始し、この位置から前記作動レバーを押し下げるまでの所定の回転角度だけ前記横車を回転させて、次の係止突起がキャップに係止する位置にまで前記横車の回転が得られ、使用を終了した時点で次のロック状態を得ることができることを特徴とする請求項２、４、又は、５のいずれかに記載のガスライター。
【発明の詳細な説明】
【０００１】
【発明の属する技術分野】
本発明は、横車の操作によってヤスリ車を回転させると共に作動レバーの押し下げ操作によって燃料ガスの噴出及び点火を行うガスライターにおいて、横車が通常位置にある場合には着火操作を不能としたガスライターに関するものである。
【０００２】
【従来の技術】
従来より、例えば、米国特許第５,１９７,８７０号、同第５,１６５,８８５号、同第５,６３４,７８７号、同第５,４９０,７７３号明細書には、ヤスリ式のライターで噴出ノズルを引き上げてガスを噴出させる押下レバーを、そのままの押し下げではガス噴出は不能とし、スライドさせつつ押し下げることでガス噴出が行えるようにしたものが知られている。
【０００３】
また、その他にも、横車の回転及び作動レバーの押し下げによる従来の着火操作では着火しないように、各種機構を備えたガスライターが提案されている。
【０００４】
【発明が解決しようとする課題】
しかして、上記のように従来の着火操作では点火しないように各種機構を備えたガスライターにおいては、殆どが作動レバーの押し下げを阻止するロック機構を備え、そのロック機構を解除しなければ作動レバーが押し下げできないようにしたもの、又は、作動レバーを前方に移動させた後に押し下げて着火可能としたものであって、いずれも使用に際して小さな部材をロック解除操作しなければならず、手の大きい人による操作性には難点があり、実用化に向けて一層の改善が望まれる。
【０００５】
つまり、ガスライターにおいて、その着火不能としている状態からのロック解除操作が、横車から作動レバーへの操作順以外の解除操作を行うものでは、その操作が面倒で通常に着火使用する場合の操作性を損なう問題を有すると共に、全体としてのガスライターの機構が複雑となっている。
【０００６】
本発明はこの点に鑑み、横車の操作によるヤスリ車の回転での火花の発生と作動レバーの押し下げ操作による燃料ガスの噴出の一連の操作の中に、特別な解除操作を行わずに着火不能状態を解除する操作を加えるようにして手の大きな人においても操作性を向上するようにしたガスライターを提供せんとするものである。
【０００７】
【課題を解決するための手段】
上記課題を解決した本発明のガスライターは、燃料ガスが貯蔵されたライター本体と、該ライター本体の燃料ガスをバルブ機構を介してノズルに供給する燃料供給手段と、該ノズルに係合するノズル係合部を有し押圧部の押し下げにより燃料ガスを噴出させる揺動自在な作動レバーと、両側に横車が固着されたヤスリ車に下方から発火石が圧接されて前記ノズルから噴出する燃料ガスに点火する点火手段とを備え、前記ライター本体の上部にキャップが取り付けられるものにおいて、前記横車はヤスリ車と共にその回転軸が回転自在にかつ前記発火石を押し込む方向に移動可能に支柱に支持されると共に、該横車の外周に設けられた係止突起が前記キャップの係止部に係止して前記ヤスリ車の回転を不能として点火ロックを行う一方、前記横車を前記発火石を押し込む方向に操作することで前記キャップとの係止を解放してヤスリ車のロック解除を行うことを特徴とするものである。
【０００８】
前記横車は、回転軸が前記ライター本体の支柱に設けた略上下方向に延びる軸受孔に支持され、回転自在にかつ前記発火石を押し込む方向に移動可能に保持するのが好適である。
【０００９】
また、前記横車は、断面楕円形の回転軸が前記ライター本体の支柱に設けた略上下方向に延びかつ下部に斜面が形成された軸受孔に支持されて、回転自在にかつ前記発火石を押し込む方向に移動可能に保持されると共に、点火時回転により上方に移動するように設けるのが好適である。その際、前記支柱の軸受孔には、前記横車の回転軸の押し込み移動に抵抗を与える凸部を設けるようにしてもよい。
【００１０】
一方、前記横車の外周には、ほぼ等間隔な複数位置に前記係止突起を設け、該係止突起の点火時回転方向に対する少なくとも前方に凹凸形状の指掛け操作部を設け、その他の部分は平滑部に形成したものが好適である。その際、前記係止突起を２つ形成するのが望ましい。
【００１１】
【発明の効果】
以上のような本発明によれば、横車の外周の係止突起をキャップの係止部に係止させてヤスリ車の回転を不能として点火ロックを行う一方、横車を発火石を押し込む方向に操作することでキャップとの係止を解放してヤスリ車のロック解除を行って点火が行えるようにしたことにより、従来の着火操作のように横車を単に回転させようとしても点火ロック状態にあって回転せず着火不能となり、所期の機能が得られると共に、このガスライターは従来の操作では使用不能であることを使用者に認識させることができる。また、この点火ロック状態の解除が横車の回転方向と異なる発火石の押し込み方向への操作であって一連の着火操作に連係して行えて手の大きな人でも容易で操作性が向上している。
【００１２】
さらに、横車の点火操作に伴い使用者の指が横車から離れて作動レバーの押し下げに移行すると、横車は発火石の圧接力により元の位置に移動し、その係止突起とキャップの係止部との係止可能位置に自動的に復帰し、点火ロック状態への作動が確実に得られる。
【００１３】
また、前記横車の回転軸をライター本体の支柱に略上下方向に延びる軸受孔に支持して、横車を回転自在にかつ発火石を押し込む方向へ移動可能に保持するものでは、構造的に追加部品は少なく簡素な構成となり、量産性に適したものである。
【００１４】
さらに、前記横車の断面楕円形の回転軸をライター本体の支柱に設けた略上下方向に延びかつ下部に斜面が形成された軸受孔に支持して、回転自在にかつ発火石を押し込む方向に移動可能に保持すると共に、点火時回転により上方に移動するように設けると、点火操作後には次の係止状態が確実に得られる。特に、前記支柱の軸受孔に横車の回転軸の押し込み移動に抵抗を与える凸部を設けると、強い押し込み動作を必要として、長期間の使用後でも通常の動作による点火不能機能が確保できる。
【００１５】
一方、前記横車の外周に、略等間隔な複数位置に係止突起を設け、この係止突起の点火時回転方向の少なくとも前方に凹凸形状の指掛け操作部を設け、その他の部分を平滑部に設けると、この平滑部への指掛けによる着火操作が不能であり、上部側の所定位置にある操作部に指を掛けて着火操作を開始し、この位置から作動レバーを押し下げるまでの所定の回転角度だけ横車を回転させて、次の係止突起がキャップに係止する位置にまで横車の回転が得られ、使用を終了した時点で次のロック状態を得ることができる。その際、前記係止突起を２つ形成し、１回の点火操作で横車を略１８０゜回転させるものが適量の火花発生による確実な着火性を確保する上で適している。
【００１６】
【発明の実施の形態】
以下、図面を参照して本発明のガスライターの実施の形態を詳細に説明する。
【００１７】
＜第１の実施の形態＞
図１は本実施の形態のガスライターの非操作状態における平面図、図２はその部分断面正面図、図３は中央縦断面図である。なお、以下の説明では、ガスライターの使用態様に基づき、図１における左方を前方、右方を後方、図１の上下方向を左右方向と表記している。
【００１８】
ガスライター１は、燃料ガスが貯蔵されたライター本体２と、燃料ガスを噴出するノズル３及びバルブ機構４１を有する燃料供給手段４と、この燃料供給手段４のノズル３を引き上げてバルブ機構４１の開閉作動を行う作動レバー５と、ヤスリ式の点火手段６とを備えている。
【００１９】
ライター本体２は、合成樹脂で成形された有底筒状のタンク本体２１の上面に上蓋２２が気密に固定されて、その内部にブタンガス等の燃料ガスが貯蔵されるタンク部分が構成されると共に、このタンク部分とは別体にその上部に中間ケース２３が嵌着されてなる。この中間ケース２３には、略中央に後述の発火石６４を収納する上下方向に延びる有底の筒部２４（図３参照）を有すると共に、この筒部２４を挟んで左右両側に、中間ケース２３の上面から上方に指向して相対向する立壁状の支柱２５が突設されている。
【００２０】
上記ライター本体２の上蓋２２には、貯蔵された燃料ガスの噴出量を制御する公知のバルブ機構４１による燃料供給手段４が配設され、該バルブ機構４１の中心に設けられたノズル３が中間ケース２３より上部に突出している。このノズル３には、前記作動レバー５の一端部に形成されたノズル係合部５１が係合される。また、前記バルブ機構４１には、ノズル３からのガス噴出量を調整する炎長調整リング４２が設置されている。
【００２１】
前記中間ケース２３の上部には、上記ノズル３の周囲すなわち中間ケース２３の外形に沿う前部上方から左右支柱２５の側方を覆うキャップ８が装着される。このキャップ８は金属板のプレス成形よりなり、前面から側面に延び後面が開放した周壁８１と、上面を形成する天面８２とを有し、周壁８１の後端は内側に狭まる方向に弾性が与えられ、前記支柱２５に外側から嵌合して上方に移動不能に取り付けられる。前記天面８２にはノズル３の上方に円形状の火口８３が開口され、該天面８２の後端部下面が、後述の係止部８５に形成される。
【００２２】
点火手段６は、ヤスリ車６１と、該ヤスリ車６１の両側に一体に回転するように固着された横車６２と、上記ヤスリ車６１の底部周面に石押しスプリング６３で付勢されて圧接する発火石６４とからなり、該発火石６４及び石押しスプリング６３は前記中間ケース２３の筒部２４に収容され、発火石６４は上下方向に出没移動可能である。
【００２３】
前記横車６２の両側面中心には回転軸６５の両端が突出し、この回転軸６５の両端が前記中間ケース２３の左右の支柱２５の上部に開口された上下方向に長い軸受孔２６にそれぞれ挿入支持されて、横車６２及びヤスリ車６１が回転可能にかつ回転中心と直交する上下方向すなわち発火石６４を押し込む方向に移動可能に設けられている。そして、上記ヤスリ車６１を回転させることにより発火石６４との接触で火花が発生すると共に、横車６２は石押しスプリング６３の付勢力により発火石６４を介して上方に付勢されている。
【００２４】
前記横車６２の外周面には、図５に示すように、等間隔な１８０度位置の２個所に係止突起６２ａが半径方向に突出して設けられ、この係止突起６２ａは前記キャップ８における天面８２の係止部８５に係止可能であり、両者が係止した状態で横車６２の点火方向への回転を阻止するようになっている。上記係止突起６２ａの点火時回転方向に対する前後の外周面には、凹凸形状の指掛け操作部６２ｂ，６２ｃがそれぞれ形成され、一方の係止突起６２ａにおける前方の操作部６２ｂと他方の係止突起６２ａにおける後方の操作部６２ｃとの間の外周面が凹凸のない平滑部６２ｄに形成されている。なお、上記係止突起６２ａの周面にも凹凸形状が設けられている。また、左右の横車６２は同一形状で、同一回転位相で組み付けられている。
【００２５】
前方の操作部６２ｂの形成範囲は、係止突起６２ａがキャップ８の係止部８５に係止した図２及び図３の状態で、その一部がキャップ８の端部から横車６２の上部に露出し、押し下げ操作可能な位置にあると共に、作動レバー５の押圧部５２の高さに対応して点火時の回転操作によって略１８０度回転するように設定されている。
【００２６】
上記例では、係止突起６２ａの前後に形成する操作部６２ｂ，６２ｃの形状は同一で、横車６２が対称形状に設けられているが、前後の操作部６２ｂ，６２ｃは異なる形状に設けてもよく、また、前方の操作部６２ｂのみ設けるようにしてもよい。後述の第２の実施の形態でも同様である。
【００２７】
前記作動レバー５は、前記支柱２５の間を通りライター本体２の中間ケース２３上に前後方向に延びて配設されている。該作動レバー５は合成樹脂からなり、一端にノズル係合部５１が、他端の上面に押圧部５２が形成されている。上記ノズル係合部５１は、前端からノズル３の先端首部が係合するスリット状の溝を有する。
【００２８】
また、上記作動レバー５の略中間には両側方に突出する支軸５３が設けられ、この支軸５３が前記中間ケース２３の支柱２５の下部に開口された支持孔２７に挿入支持され、作動レバー５が揺動自在に保持されている。なお、前記ノズル係合部５１と押圧部５２との中間部分には、前記筒部２４の上端が挿通する開口部分が設けられている（図３参照）。
【００２９】
以上のような構成からなるガスライター１について、その作用を説明する。まず、図２及び図３に示す不使用状態において、上昇位置にある横車６２の外周の係止突起６２ａがキャップ８の端部下面の係止部８５に係止したロック状態にあり、この横車６２はそのままの位置では点火方向に回転不能である。すなわち、ヤスリ車６１の回転による点火は行えない。これにより、このガスライター１は従来の操作では使用不能であることを使用者に認識させることになる。
【００３０】
次に、ガスライター１の着火操作は、図４に示すように、まず、点火手段６の横車６２の上部におけるキャップ８の端部近傍に位置する前方の操作部６２ｂを、石押しスプリング６３に抗して発火石６４を押し込むように押し下げる。すると、該横車６２が下方に移動するのに応じてその係止突起６２ａがキャップ８の係止部８５から離れて下方に移動し、該係止突起６２ａの先端の回転円弧が前記係止部８５と干渉しない解除状態となり、横車６２の回転が可能となる。
【００３１】
次いで、横車６２すなわちヤスリ車６１を回転させるのに続いて作動レバー５の押圧部５２を押し下げると、作動レバー５は支軸５３を支点として前端が上昇するように揺動し、そのノズル係合部５１は燃料供給手段４のノズル３を上昇させて燃料ガスを噴出させ、前記ヤスリ車６１で発生した火花により着火する。
【００３２】
なお、上記着火操作において、前記横車６２の上部に位置する平滑部６２ｄを押し下げても、該横車６２は下方に移動した状態となるが、ヤスリ車６１と発火石６４との接触抵抗は大きく、この状態から横車６２を回転させようとしても指は平滑部６２ｄを滑って横車６２を回転作動させることはできずに着火不能であり、指が外れて横車６２は再び上昇位置となる。つまり、上部の操作部６２ｂに指を掛けないと横車６２の回転が行えないように、上記平滑部６２ｄが設けられている。
【００３３】
また、上記横車６２の回転操作においては、最初の状態では使用者の指は前記操作部６２ｂからキャップ８の天面８２にかけて接触し、続く押し下げ操作及び回転操作に伴って、指は係止突起６２ａ及び後方の操作部６２ｃにも掛かり、指が横車６２から離れて作動レバー５の押圧部５２を押し下げる最終段階では、横車６２は再び図４の位置にまで略１８０度回転することになる。これに伴い、次の係止突起６２ａが係止部８５との係止可能位置に移動する。
【００３４】
押し下げられた横車６２は、指が作動レバー５に移行した後に、石押しスプリング６３の付勢力で発火石６４を介してヤスリ車６１が上方に押圧されるのに伴って上昇位置に移動し、図２及び図３に示すようなロック状態に自動復帰する。なお、横車６２が１８０度より若干多く又は少なく回転しても、係止突起６２ａと係止部８５が実質的に係止して点火回転が不能なロック状態となる。また、消火のために作動レバー５の押圧部５２から指を離すと、燃料供給手段４内に配設したスプリングの戻り力によりノズル３が下降し、燃料ガスの噴出が停止される。
【００３５】
本実施形態によれば、通常状態では横車６２が回転不能な点火ロック状態にあって、従来操作では着火不能であることが認識でき、また、着火可能な操作としては従来の操作に横車６２の押し込み動作を加えたことにより、別途の部材を解除操作するものに比べて手の大きな人でも操作性に優れている。また、点火操作の終了と共に初期位置に自動復帰することで、従来の操作による着火が防止されて信頼性が高まる。さらに構造的にも追加部品は少なく簡素であり、量産性に適する。
【００３６】
前記実施の形態では、横車６２の外周には１８０度の間隔で２つの係止突起６２ａを設けているが、これは１２０度の間隔で３つの係止突起６２ａを略等間隔に配置するようにしてもよく、その際にも、横車６２の周面には凹凸形状の指掛け操作部６２ｂ，６２ｃと平滑部６２ｄとを配設して、点火操作に伴って横車６２から作動レバー５の押圧部５２に指が移行する間の横車６２の回転操作量が前記係止突起６２ａの設置間隔に応じて略１２０度の回転操作量となるように設定するものである。
【００３７】
＜第２の実施の形態＞
図６は第２の実施の形態におけるガスライターの要部正面図、図７は横車の回転作動状態を順に示す機構図である。
【００３８】
この実施の形態におけるガスライター１は、横車６２の回転軸１６５及び支柱２５に設けられる軸受孔１２６の形態が異なるもので、その他のライター本体２、ノズル３、燃料供給手段４、作動レバー５、点火手段６の基本構造は第１の実施の形態と同様であり、同一部分には同一符号を付してその説明を省略する。
【００３９】
点火手段６の横車６２は、前記と同様に、ヤスリ車６１の両側に一体に回転するように固着され、ヤスリ車６１の底部周面には発火石６４が圧接され石押しスプリング６３で上方に付勢されている。前記横車６２の両側面中心に両端が突出する回転軸１６５は、断面が楕円形状に設けられている。この回転軸１６５の両端が中間ケース２３の左右の支柱２５の上部に開口された上下方向に長い軸受孔１２６にそれぞれ挿入支持され、横車６２及びヤスリ車６１が回転可能にかつ回転中心と直交する上下方向すなわち発火石６４を押し込む方向に移動可能に設けられている。
【００４０】
さらに、前記軸受孔１２６は、上部が回転軸１６５の楕円形の長軸長さに相当する円弧状で、その両側に縦方向の側辺が形成され、底部は前側で高く後側で低くなる斜面１２６ａに形成され、前側側辺が短く後側側辺が長くなるように設けられると共に、後側の側辺の略中間部には内方に突出する凸部１２６ｂが形成されている。この凸部１２６ｂは、前記横車６２の回転軸１６５に接触してその押し込み下降移動に抵抗を与える。そして、前記回転軸１６５の楕円形の長軸が軸受孔１２６の斜面１２６ａと略平行になった状態（図７Ｃ参照）で、回転軸１６５が軸受孔１２６の最下部に移動するように回転軸１６５及び軸受孔１２６の形状が設けられている。
【００４１】
また、前記横車６２の外周面には、前記と同様に、１８０度位置の２個所に係止突起６２ａが半径方向に突出して設けられ、この係止突起６２ａはキャップ８における天面８２の係止部８５に係止可能であり、両者が係止した状態で横車６２の点火方向への回転が阻止される。上記係止突起６２ａの点火時回転方向に対する前後の外周面には、凹凸形状の指掛け操作部６２ｂ，６２ｃがそれぞれ形成され、一方の係止突起６２ａにおける前方の操作部６２ｂと他方の係止突起６２ａにおける後方の操作部６２ｃとの間の外周面が凹凸のない平滑部６２ｄに形成されている。なお、この実施の形態における平滑部６２ｄの周面の円弧形状は、回転軸１６５の中心を中心とした円弧面より中央部分が外側に膨らむように半径が小さい円弧形状に設けられている。そして、前記回転軸１６５の楕円形状は、長軸が横車６２外周の２つの係止突起６２ａを結ぶ中心線と一致する位相に設けられ、楕円形の両頂点がそれぞれ係止突起６２ａを指向している。
【００４２】
本実施の形態の作用を説明する。まず、図６に示す不使用状態において、横車６２の回転軸１６５は軸受孔１２６の上部に略横向きに位置し、上昇位置にある横車６２の外周の係止突起６２ａがキャップ８の端部下面の係止部８５に係止したロック状態にあり、この横車６２はそのままの位置では点火方向に回転不能である。すなわち、ヤスリ車６１の回転による点火は行えない。これにより、このガスライター１は従来の操作では使用不能であることを使用者に認識させることになる。
【００４３】
次に、ガスライター１の着火操作は、図７(Ａ)に示すように、まず、横車６２の上部におけるキャップ８の端部近傍に位置する前方の操作部６２ｂを、石押しスプリング６３に抗して発火石６４を押し込むように強く押し下げる。すると、回転軸１６５はそのままの姿勢で下降し、後側頂点は凸部１２６ｂの抵抗を乗り越えて移動し、前側頂点の下部が斜面１２６ａの上部に当接する。横車６２が下方に移動するのに応じてその係止突起６２ａがキャップ８の係止部８５から離れて下方に移動する。
【００４４】
次いで、横車６２の回転操作が開始されると、図７(Ｂ)に示すように、回転軸１６５の楕円形長軸が軸受孔１２６の傾斜面１２６ａと平行になる方向に回動するのに伴って、後側頂点が軸受孔１２６の後側側辺を下降するように回動し、回転軸１６５は斜面１２６ａに沿って後部下方に移動する。これにより、上側の係止突起６２ａの先端の回転円弧が前記係止部８５と干渉しない解除状態で回転する。さらに、横車６２が回転すると、図７(Ｃ)に示すように、回転軸１６５の楕円形長軸が軸受孔１２６の傾斜面１２６ａと平行になった状態で、回転軸１６５が軸受孔１２６の斜面１２６ａをさらに下方に移動した最下降位置となる。さらなる横車６２の回転により、図７(Ｄ)に示すように、係止突起６２ａがキャップ８の係止部８５の下方を通過して上部位置に回転し、回転軸１６５の楕円形は縦向きとなり、下側頂点が軸受孔１２６の斜面１２６ａに当接するようになる。
【００４５】
次いで、横車６２がさらに回転すると、図７(Ｅ)に略９０度回転した状態を示すように、回転軸１６５の楕円形の下側頂点が斜面１２６ａを滑り上がるように移動し、その中心位置が上昇し横車６２が上方に移動する。さらに横車６２が回転して、図７(Ｆ)に示すように、回転軸１６５の楕円形長軸が水平状態となると、下側頂点は斜面１２６ａの上部にまで滑り上がる状態となり、この間横車６２は回転に応じて上昇する。
【００４６】
そして、上記横車６２の回転操作の途中において、横車６２が９０度以上回転した位置で指が横車６２より外れ、作動レバー５の押圧部５２に移行してこれを押し下げ、ノズル３から噴出した燃料ガスにヤスリ車６１で発生した火花により着火する。上記横車６２から指が外れると、横車６２を下向きに押し下げる力がなくなり、石押しスプリング６３の付勢力によって横車６２は上昇移動し、回転軸１６５が軸受孔１２６の上部に移動した最終段階では、横車６２は再び図６の位置にまで略１８０度回転して、次の係止突起６２ａが係止部８５とが係止するロック状態に自動復帰する。
【００４７】
また、前記図７(Ｆ)に示す状態より、惰性で横車６２がさらに大きく回転しても、この横車６２は既に上昇移動していることで、回動した次の係止突起６２ａは係止部８５と係止して停止し、図６のロック位置以上に回転することはない。
【００４８】
なお、上記着火操作における前記横車６２の平滑部６２ｄの機能は前記と同様である。つまり、上部の操作部６２ｂに指を掛けないと横車６２の回転が行えないものである。
【００４９】
本実施形態によれば、横車６２の回転軸１６５を断面楕円形に、支柱の軸受孔１２６を下部に斜面１２６ａを有する形状に設けて、横車６２の点火時回転により回転軸１６５が上方に移動して横車６２を上昇させるようにしたことで、惰性によって横車６２が係止位置より過回転する際にも係止状態で停止するものであり、次の係止状態を確実に得ることができる。また、軸受孔１２６に横車６２の回転軸１６５の押し込み移動に抵抗を与える凸部１２６ｂを設けたことで、強い押し込み動作を必要として、特に発火石６４が減少して横車６２を上方向に付勢する力が小さくなった状態でも、簡単に横車６２の押し込み作動が行えることによる通常の点火動作が可能となるのを防止することができる。
【００５０】
なお、各実施の形態における前記横車６２の移動方向すなわち支柱２５の軸受孔２６，１２６の形成方向は、上下方向に設けているが、発火石６４を押し込める範囲において傾斜方向に形成してもよく、その他、この軸受孔２６，１２６に沿う移動により係止突起６２ａと係止部８５の係止が外れ、発火石６４による押し上げで復帰移動可能な形状に適宜変更可能である。また、前記各実施の形態ではキャップ８の天面８２の平坦後端部を係止部８５としているが、天面８２の後端部を屈曲させて係止部８５を設けてもよく、この場合においても、この係止部８５に横車６２の係止突起６２ａが係止した際に、操作部６２ｂの一部が横車６２の上部に露出するように設けることで上記と同様の機能が得られる。
【図面の簡単な説明】
【図１】本発明の第１の実施の形態に係るガスライターの平面図
【図２】図１のキャップを断面にして示す要部正面図
【図３】図１の中央縦断面正面図
【図４】図１の着火途中の状態を示す中央縦断面正面図
【図５】第１の実施の形態における横車及びヤスリ車の外形を示す正面図
【図６】本発明の第２の実施の形態に係るガスライターのキャップを断面にして示す要部正面図
【図７】図６の横車の回転作動状態を順に示す機構図
【符号の説明】
１    ガスライター
２    ライター本体
３    ノズル
４    燃料供給手段
５    作動レバー
６    点火手段
８    キャップ
23    中間ケース
25    支柱
26,126    軸受孔
52    押圧部
61    ヤスリ車
62    横車
62a     係止突起
62b,62c     操作部
62d     平滑部
63    石押しスプリング
64    発火石
65,165    回転軸
85    係止部
126a    斜面
126b    凸部
【図１】
0004183876.tif 000002
【図２】
0004183876.tif 000003
【図３】
0004183876.tif 000004
【図４】
0004183876.tif 000005
【図５】
0004183876.tif 000006
【図６】
0004183876.tif 000007
【図７】
0004183876.tif 000008